(57)【要約】【課題】  手先の不自由な人、非力な人、老人等の指先に力がない人でも錠剤パッケージから錠剤を簡単に取り出すことができ、取り出した錠剤が飛んでしまうこともなくなるので、目の不自由な人にとっても非常に便利な錠剤らくとれ器を提供する。【解決手段】  長尺及び短尺の一対の操作ロッドを互いにその中央部で回動自在に取付けその基端部をハンドル部とし上側長尺操作ロッド先端部及び下側短尺操作ロッド先端部を作動部としたベース作動体と、前記上側長尺操作ロッド先端部の下面に設けられた突起部と、前記下側短尺操作ロッド先端部に前記突起部に対応して形成され中央部を中空とした環状受け部材と、を有するようにした。【選択図】  図１
0003128225.tif 000002
【実用新案登録請求の範囲】
【請求項１】
長尺及び短尺の一対の操作ロッドを互いにその中央部で回動自在に取付けその基端部をハンドル部とし上側長尺操作ロッド先端部及び下側短尺操作ロッド先端部を作動部としたベース作動体と、前記上側長尺操作ロッド先端部の下面に設けられた突起部と、前記下側短尺操作ロッド先端部に前記突起部に対応して形成され中央部を中空とした環状受け部材と、を有し、下側フィルムが金属箔で上側フィルムがプラスチックフィルムで錠剤を包装した錠剤パッケージを前記環状受け部材に載置した状態で錠剤パッケージの錠剤部分を前記突起部の下にあてがい前記ハンドル部を軽く締め付けることによって前記突起部が前記錠剤部分を押圧し前記錠剤部分の金属箔が破れて内部の錠剤が下方にポトリと落ちるようにし、かつ前記環状受け部材の寸法が錠剤パッケージに収納される各種錠剤のうちの最大の錠剤の寸法を超えている構成とすることによって錠剤パッケージに収納された各種の寸法の錠剤を取り出すことができるようにしたことを特徴とする錠剤らくとれ器。
【請求項２】
前記突起部の下面に穴を開穿したことを特徴とする請求項１記載の錠剤らくとれ器。
【請求項３】
前記環状受け部材を前記短尺操作ロッドの長手方向を長辺とする長方形形状としたことを特徴とする請求項１又は２記載の錠剤らくとれ器。
【考案の詳細な説明】
【技術分野】
【０００１】
本考案は、下側フィルムが金属箔、例えばアルミ箔、上側フィルムがプラスチックフィルムで錠剤又はカプセル等（本明細書ではこれらを一括して錠剤と称する）を包装した錠剤パッケージ［ＰＴＰ（Ｐｕｓｈ  Ｔｈｒｏｕｇｈ  Ｐａｃｋａｇｅ）包装といわれることもある］に収納されている錠剤を軽く締め付けるだけで静かにポトリと落として取り出すことができるようにした錠剤らくとれ器に関する。
【背景技術】
【０００２】
上記したタイプの錠剤パッケージから錠剤を取り出す時に、手先の不自由な人、非力な人、老人等にとっては、指先に力がないので錠剤パッケージがなかなか破けず、また破けても錠剤がどこかに飛んでいってしまい、特に目の不自由な人にとっては飛んだ錠剤を探すのに苦労することは日常経験するところである。この種の不都合を解消する目的で、例えば、特許文献１に記載された錠剤取出器が提案されている。この錠剤取出器は、打抜ポンチの下に、間隔と弾力を持たせて縦列上に配置した打抜ダイス、その上面に、包装された錠剤を定置し、打抜ポンチを押し下げれば、錠剤を包装から打抜き取り出すことができる構造を有しているが、打抜ポンチと打抜ダイスとがほぼ同寸法であるために錠剤を打ち抜くために力を必要とし、また外形寸法の異なる錠剤に対しては使用できないという問題があった。
【考案の開示】
【考案が解決しようとする課題】
【０００３】
本考案は、上記した問題点に鑑みなされたもので、手先の不自由な人、非力な人、老人等の指先に力がない人でも錠剤パッケージから錠剤を簡単に取り出すことができ、取り出した錠剤が飛んでしまうこともなくなるので、目の不自由な人にとっても非常に便利な錠剤らくとれ器を提供することを目的とする。
【課題を解決するための手段】
【０００４】
上記の目的を達成する為に、本考案の錠剤らくとれ器は、長尺及び短尺の一対の操作ロッドを互いにその中央部で回動自在に取付けその基端部をハンドル部とし上側長尺操作ロッド先端部及び下側短尺操作ロッド先端部を作動部としたベース作動体と、前記上側長尺操作ロッド先端部の下面に設けられた突起部と、前記下側短尺操作ロッド先端部に前記突起部に対応して形成され中央部を中空とした環状受け部材と、を有し、下側フィルムが金属箔で上側フィルムがプラスチックフィルムで錠剤を包装した錠剤パッケージを前記環状受け部材に載置した状態で錠剤パッケージの錠剤部分を前記突起部の下にあてがい前記ハンドル部を軽く締め付けることによって前記突起部が前記錠剤部分を押圧し前記錠剤部分の金属箔が破れて内部の錠剤が下方にポトリと落ちるようにし、かつ前記環状受け部材の寸法が錠剤パッケージに収納される各種錠剤のうちの最大の錠剤の寸法を超えている構成とすることによって錠剤パッケージに収納された各種の寸法の錠剤を取り出すことができるようにしたことを特徴とする。
【０００５】
前記突起部の下面に穴を開穿しておけば、上側長尺操作ロッド先端部を下方に回動させた際に錠剤パッケージの錠剤部分の上面楕円形状に均等に力が加わる効率的な押圧状態となり、金属箔が破けて錠剤が落下する際に静かにポトリと落とすことができるという利点がある。
【０００６】
前記環状受け部材を前記短尺操作ロッドの長手方向を長辺とする長方形形状としておけば、上側長尺操作ロッド先端部が環状受け部材の中空部分で十分に作動することができる利点がある。
【考案の効果】
【０００７】
本考案の錠剤らくとれ器によれば、手先の不自由な人、非力な人、老人等の指先に力がない人でも錠剤パッケージから錠剤を簡単に取り出すことができ、取り出した錠剤が飛んでしまうこともなくなるので、目の不自由な人にとっても非常に便利に使用することができるという効果が達成される。
【考案を実施するための最良の形態】
【０００８】
以下に本考案の実施の形態を添付図面に基づいて説明するが、本考案の技術思想から逸脱しない限りこれらの実施の形態について種々の変更又は変形が可能なことは言うまでもない。
【０００９】
図１は、本考案の錠剤らくとれ器の１つの実施の形態を示す斜視図である。図２は、図１の錠剤らくとれ器の上側長尺操作ロッド先端部を示す摘示説明斜視図である。図３は、図１の錠剤らくとれ器の下側短尺操作ロッド先端部を示す摘示説明斜視図である。図４は、本考案の錠剤らくとれ器によって錠剤パッケージから錠剤を取り出す状態を示す摘示説明図である。
【００１０】
図１において、１０は本考案に係る錠剤らくとれ器である。前記錠剤らくとれ器１０はベース作動体１２を有している。前記ベース作動体１２は、長尺及び短尺の一対の操作ロッド１４，１６を有しており、該操作ロッド１４，１６は互いに回動自在に軸１８に軸支されている。
【００１１】
前記操作ロッド１４，１６は、その基端部がハンドル部２０，２２とされ、前記上側長尺操作ロッド先端部２４及び下側短尺操作ロッド先端部２６は作動部とされており、互いにその中央部で軸１８によって回動自在に取付けられている。前記上側長尺操作ロッド先端部２４の下面には突起部２８が設けられている。前記下側短尺操作ロッド先端部２６には前記突起部２８に対応して中央部を中空とした環状受け部材３０が形成されている。３２はバネ部材で、ハンドル部２０，２２の軸１８の近傍に装着されており、ハンドル部２０，２２を使用者が閉めた後に自動的に開放位置に戻る作用を行う。図２において、３４は前記突起部２８の下面に開穿された穴である。
【００１２】
次いで、本考案の錠剤らくとれ器１０の作用を説明する。図４において、３６は錠剤パッケージで、下側フィルムが金属箔で上側フィルムがプラスチックフィルムで錠剤を包装した形態を有している。この錠剤パッケージ３６を前記環状受け部材３０に載置した状態で錠剤パッケージ３６の錠剤部分を前記突起部２８の下にあてがい前記ハンドル部２０，２２を軽く締め付けることによって前記突起部２８が前記錠剤部分を押圧し前記錠剤部分の金属箔が破れて内部の錠剤３８が下方にポトリと落ちるように作動する。さらに前記環状受け部材３０の寸法が錠剤パッケージ３６に収納される各種錠剤３８のうちの最大の錠剤の寸法を超えている構成とすることによって錠剤パッケージ３６に収納された各種の寸法の錠剤３８を取り出すことができるものである。
【００１３】
前記突起部２８の下面に穴３４を開穿しておけば、上側長尺操作ロッド先端部を下方に回動させた際に錠剤パッケージの錠剤部分の上面楕円形状に均等に力が加わる効率的な押圧状態となり、金属箔が破けて錠剤が落下する際に静かにポトリと落とすことができるという利点がある。
【００１４】
前記環状受け部材３０の形状については特別の限定はないが、図３に示したように、前記短尺操作ロッドの長手方向を長辺とする長方形形状としておけば、上側長尺操作ロッド先端部が環状受け部材３０の中空部分４０で十分に作動することができる利点がある。
【図面の簡単な説明】
【００１５】
【図１】本考案の錠剤らくとれ器の１つの実施の形態を示す斜視図である。
【図２】図１の錠剤らくとれ器の上側長尺操作ロッド先端部を示す摘示説明斜視図である。
【図３】図１の錠剤らくとれ器の下側短尺操作ロッド先端部を示す摘示説明斜視図である。
【図４】本考案の錠剤らくとれ器によって錠剤パッケージから錠剤を取り出す状態を示す摘示説明図である。
【符号の説明】
【００１６】
１０:錠剤らくとれ器、１２：ベース作動体、１４，１６：操作ロッド、１８：軸、２０，２２：ハンドル部、２４：上側長尺操作ロッド先端部、２６：下側短尺操作ロッド先端部、２８：突起部、３０：環状受け部材、３４：穴、３６：錠剤パッケージ、３８：錠剤、４０：中空部分。
【図１】
0003128225.tif 000003
【図２】
0003128225.tif 000004
【図３】
0003128225.tif 000005
【図４】
0003128225.tif 000006